(57)【要約】【課題】  動画撮影モードにおいても、簡単かつ迅速な操作で静止画を取り込むことのできる撮像装置を提供する。【解決手段】  動画撮影モードおよび静止画撮影モードのうちユーザが選択したモードで撮影可能であって、像を表示する表示画面１３と、撮影データを記録するメモリ部３５と、を備えた撮像装置。この撮像装置は、表示画面上に設けられたタッチパネル１３ａと、ユーザが選択した撮影モードを判定するモード判定手段と、モード判定手段により動画撮影モードであると判定されている間にユーザがタッチパネル１３ａを押圧した場合、映像を静止画として上記メモリ部に記録する静止画記録手段と、を備える。本発明の撮像装置によれば、動画撮影モード中に映像を確認しているその画面に触れるだけで、シャッターチャンスを逃すことなく、確実に所望のシーンを静止画として残すことが可能となる。【選択図】  図４
2005198068.tif 000002
【特許請求の範囲】
【請求項１】
動画撮影モードおよび静止画撮影モードのうちユーザが選択したモードで撮影可能であって、像を表示する表示画面と、撮影データを記録するメモリ部と、を備えた撮像装置であって、
表示画面上に設けられたタッチパネルと、
ユーザが選択した撮影モードを判定するモード判定手段と、
モード判定手段により動画撮影モードであると判定されている間にユーザがタッチパネルを押圧した場合、映像を静止画として上記メモリ部に記録する静止画記録手段と、を備えたことを特徴とする、撮像装置。
【請求項２】
上記タッチパネルが、複数ブロックに区画され、
動画撮影モード中にタッチパネル上のいずれかのブロックが押圧された場合に、当該ブロックを特定する、ブロック特定手段と、
ブロック特定手段で特定されたブロックに対応する撮像素子上の領域に対して、焦点調節を行うようオートフォーカス機構部を制御する、焦点調節手段と、
同領域に対して、露出調節を行うよう絞り機構部を制御する、露出調節手段と、をさらに備え、
上記静止画記録手段は、焦点調節手段および露出調節手段による制御が行われた後の映像を、静止画としてメモリ部に記録することを特徴とする、請求項１記載の撮像装置。
【請求項３】
上記タッチパネルが、複数ブロックに区画されるとともに、静止画取込ボタンを備えており、
動画撮影モード中にタッチパネル上のブロックが複数回押圧された場合に、当該複数のブロックを特定する、複数ブロック特定手段と、
上記静止画取込ボタンがオンされた場合に、複数ブロック特定手段で特定された複数のブロックで囲まれた撮像素子上の領域を特定する、領域特定手段と、
領域特定手段で特定された領域に対応する撮像素子上の領域に対して、焦点調節を行うようオートフォーカス機構部を制御する、焦点調節手段と、
同領域に対して、露出調節を行うよう絞り機構部を制御する、露出調節手段と、をさらに備え、
上記静止画記録手段は、焦点調節手段および露出調節手段による制御が行われた後の映像を、静止画として上記メモリ部に記録することを特徴とする、請求項１記載の撮像装置。
【請求項４】
上記タッチパネルが、複数ブロックに区画されるとともに、静止画取込ボタンを備えており、
動画撮影モード中にタッチパネル上のブロックが複数回押圧された場合に、当該複数のブロックを特定する、複数ブロック特定手段と、
上記静止画取込ボタンがオンされた場合に、複数ブロック特定手段で特定された複数のブロックの平均距離を算出して、当該平均距離に対して焦点調節を行うようオートフォーカス機構部を制御する、焦点調節手段と、
同複数のブロックの平均測光値を算出して、当該平均測光値に応じて絞り機構部を制御する、露出調節手段と、をさらに備え、
上記静止画記録手段は、焦点調節手段および露出調節手段による制御が行われた後の映像を、静止画として上記メモリ部に記録することを特徴とする、請求項１記載の撮像装置。
【請求項５】
上記タッチパネルが、複数ブロックに区画されるとともに、静止画取込ボタンを備えており、
動画撮影モード中にタッチパネル上のブロックが複数回押圧された場合に、押圧回数（ｎ）と当該回数に対応するブロックとを関連付けてメモリ部に記録する、複数ブロック記録手段と、
上記静止画取込ボタンがオンされた場合に、すべての押圧回数（ｎ）に対して、ｎ回目に押圧されたブロックに対して焦点調節を行うようオートフォーカス機構部を制御する、ｎ回目焦点調節手段と、
ｎ回目に押圧された同ブロックに対して露出調節を行うよう絞り機構部を制御する、ｎ回目露出調節手段と、をさらに備え、
上記静止画記録手段は、ｎ回目焦点調節手段およびｎ回目露出調節手段による制御が行われた後の各映像を個別に、静止画として上記メモリ部に記録することを特徴とする、請求項１記載の撮像装置。
【発明の詳細な説明】
【技術分野】
【０００１】
本発明は、動画および静止画の両方を撮影可能な撮像装置に関する。
【背景技術】
【０００２】
動画および静止画の両方を撮影可能なデジタルカメラは広く知られている。ところで、動画撮影中に、静止画として記録したいシーンがあった場合、モード切替操作に手間取ると、シャッターチャンスを逃してしまう。
【０００３】
特許文献１に開示された画像表示器付きカメラでは、タッチパネルを設け、押圧力により撮影準備および撮影を行う。タッチパネルが押圧された位置に基づいて、被写体の位置を検知し、これにピントおよび露出を合わせている。
【０００４】
また、特許文献２に開示された撮像装置では、撮影された映像を表示する画面にジョイスティック、十字キーなどで移動可能な枠を表示し、その範囲内でＡＥ（自動露出調節）、ＡＦ（自動ピント調節）を行っている。
【０００５】
【特許文献１】特開平１１−３５５６１７号公報
【特許文献２】特開平８−１７２５９３号公報
【０００６】
しかしながら、いずれの従来例においても、動画撮影モードにおいて、迅速かつ容易な操作によって静止画を取り込むことについては、触れられていない。
【発明の開示】
【発明が解決しようとする課題】
【０００７】
上記従来の事情に鑑み、本発明は、動画および静止画の両方を撮影可能であって、動画撮影モード中においても、所望の静止画を容易かつ迅速に記録できる撮像装置を提供することを目的とする。
【課題を解決するための手段】
【０００８】
本発明の撮像装置は、動画撮影モードおよび静止画撮影モードのうちユーザが選択したモードで撮影可能であって、「像を表示する表示画面」と「撮影データを記録するメモリ部」とを備えたものである。そして、この撮像装置は、「表示画面上に設けられたタッチパネル」と「ユーザが選択した撮影モードを判定するモード判定手段」と「モード判定手段により動画撮影モードであると判定されている間にユーザがタッチパネルを押圧した場合、映像を静止画として上記メモリ部に記録する静止画記録手段」とを備えたことを特徴としている。
なお、モード判定手段および静止画記録手段は、現実には、プログラムで記述されたソフトウエア処理により実現される。
【発明の効果】
【０００９】
上記構成を備えた本発明のカメラにおいては、動画撮影モード中に、表示画面で映像を確認しながら（この映像は、撮影中の映像に限られるものではなく、撮影開始前の映像であってもよい）、静止画として残したいシーンがあった場合に、その表示画面（厳密には、画面上のタッチパネル）にタッチするだけで、その瞬間の映像を静止画として記録することができる。
つまり、動画撮影モード中に映像を確認しているその画面に触れるだけで静止画を取り込むことができる。このように容易かつ迅速な操作だけで、動画撮影モード中における静止画の記録が可能となるため、シャッターチャンスを逃すことなく、確実に所望のシーンを静止画として残すことが可能となる。
【発明を実施するための最良の形態】
【００１０】
本発明の実施形態を添付の図面を参照して以下に詳細に説明する。
≪カメラの構成≫
図１は、本発明の一実施形態に係るデジタルカメラ１０の前方斜視図である。また、図２は、デジタルカメラ１０の後方斜視図である。
デジタルカメラ１０は、上面にメインスイッチ１１およびレリーズボタン１２を、前面に撮影窓１４およびフラッシュ発光部１７を、それぞれ備える。また、背面側には、ＬＣＤ表示画面１３、十字キー１５、および各種操作ボタン１６を備える。
表示画面１３は、ライブビュー、あるいは撮影後の静止画や動画を表示する。また、後述するように、表示画面上に透明のタッチパネル１３ａ（図３参照）を配置している。
【００１１】
≪ブロック図≫
図３は、デジタルカメラ１０の主要な構成を示すブロック図である。
撮影光学系２０を通過した撮影光は、ＣＣＤ２１等の撮像素子の受光面に結像する。ＣＣＤ２１からの信号は、所定の処理を施した後、Ａ/Ｄ変換されて、画像処理部３０へ送られる。画像処理部３０は、黒レベル補正回路、ホワイトバランス回路、ガンマ補正回路、および画像メモリを含んでいる。
ＣＰＵ１を含む制御部３０は、カメラにおける全体的な制御を統治するもので、撮影した画像のメモリーカード２５への記録、およびＬＣＤ表示画面１３への表示を行う。さらに、制御部３０は、ｉ）ユーザの操作に基づいて、ズームモータ制御部２７を制御して、撮影光学系２０内のズームレンズ系を駆動し、ｉｉ）測光結果に基づいて、絞り制御部２８を制御して、撮影光学系２０内の絞り機構部を駆動し、ｉｉｉ）測距結果に基づいて、焦点調節制御部２９を制御して、撮影光学系２０内のオートフォーカス機構部を駆動する。
これらのズームモータ制御部２７、絞り制御部２８、焦点調節制御部２９は、プログラムで記述されたソフトウエア処理により実現される。
【００１２】
なお、図３中のメモリ部３５は、各種制御プログラムおよびデータ類を保持するＲＯＭあるいはＲＡＭで構成される。また、同図中の操作部は、図１および図２に示したメインスイッチ１１、レリーズボタン１２、十字キー１５、および操作ボタン１６に対応している。
【００１３】
≪ＣＣＤの画素領域とタッチパネルブロックとの対応関係≫
ＬＣＤ表示画面１３上には、図４（ａ）中に破線で示したように、透明のタッチパネル１３ａが配置されている。タッチパネル１３ａは、５４（９×６）のブロック（スイッチ領域）に分割されている。「タッチパネル１３ａの５４ブロック」と「ＣＣＤ２１の受光面上の画素領域」との対応関係は、次のようになる。
図４（ｂ）は、ＣＣＤ２１の受光面上の画素領域を模式的に示している。この図において、ＣＣＤの有効画素数は、約３８７万画素（２２７２×１７０４）である。この撮像領域をタッチパネル１３ａ上のブロック（９×６ブロック）に対応させて分割すると、１ブロック当りの画素数は、約２５２×２８４画素となる。
図４（ａ）に示したタッチパネル１３ａ内の各ブロックの位置座標（ｘ、ｙ）と、図４（ｂ）に示したＣＣＤの画素領域の座標（ｍ、ｎ）と、を対応付けてカメラ内のメモリ部３５に記憶しておく。
例えば、図４（ａ）中のブロックＡは、その位置座標（ｘ、ｙ）が（３、３）である。図４（ｂ）中でこれに対応するＣＣＤ上の画素領域は、横方向がｍ＝５０４〜７５６、縦方向がｎ＝５６９〜８５２の複数画素で構成される正方形領域Ａとなる。つまり、タッチスイッチ（３、３）が押圧された場合に、上記メモリ部内の記憶に基づいて、これに対応する座標（５０４、５６９）〜（７５６、８５２）の画素データが読み出される。なお、タッチスイッチ（３、３）に対応させて、（５０４、５６９）および（７５６、８５２）の２つのデータ（すなわち、対角上の座標データ）をメモリ部３５に記憶しておけばよい。
【００１４】
≪動画撮影モード中における静止画の撮影操作≫
本発明の撮像装置は、動画撮影モードにおいて、任意の瞬間を静止画として記録したい場合に、「いかに簡単な操作で静止画を記録するか」を工夫したものであり、迅速な操作により、シャッターチャンスを逃すことなく所望の静止画を記録できる点に特徴がある。
その具体的な操作例を幾つか例示的に説明する。
【００１５】
≪操作例１≫
この例では、動画撮影モードにおいて、ユーザが表示画面１３上で所望の被写体に対応する位置をタッチすると、そのタッチ位置に対して露出調節および焦点調節を行い、静止画として記録する（図４、図５）。
例えば、図４（ａ）の表示画面において、左端の走者の静止画を残したい場合、ユーザは、これに対応する画面上のブロックＡをタッチする。これにより、当該走者に対して露出調節および焦点調節を行った上で静止画として記録する。
【００１６】
この場合の処理工程を図５のフローチャートを参照して説明する。
【００１７】
まず、ユーザが、カメラのメインスイッチ１１を押圧し、その後、十字キー１５を操作して各種モードを選択する（♯２１→♯２２）。♯２３では、選択されたモードが動画撮影モードであるか否かを、カメラ制御部３０が判定する（モード判定手段）。
動画撮影モードが選択されている場合には、ＣＣＤ駆動を開始し、自動焦点調節（ＡＦ）および自動露出調節（ＡＥ）を行った後、表示画面１３にライブビューを表示する（♯２４→♯２５→♯２６）。なお、動画撮影モード以外のモードが選択されている場合には、♯４１に進んで当該モード設定に従った処理を行う（♯２３→♯４１）。
【００１８】
動画撮影モードにおいては、レリーズボタン１２の押圧により動画撮影の開始および終了を行う。♯２６においてライブビューを表示しつつ、レリーズボタン１２が押圧される前にタッチパネル１３ａ（表示画面）上の任意の箇所が押圧された場合には、♯２７→♯５１と進む（これは、動画撮影の開始前に、静止画として記録したいシーンがあった場合に相当する）。
一方、♯２８でレリーズボタン１２が押圧された後（これにより、動画撮影がスタートする）において、タッチパネル１３ａ（表示画面）上の任意の箇所が押圧された場合には、♯２９→♯３０→♯３１と進む（これは、動画撮影中に、静止画として記録したいシーンがあった場合に相当する）。
【００１９】
♯２７→♯５１と進んだ場合、まず、タッチパネル１３ａからの出力に基づいて、押圧されたブロックを特定する（♯５１、ブロック特定手段）。♯５２では、メモリ部３５に記憶した対応関係に基づいて、当該ブロックに対応するＣＣＤ画素領域における出力信号を読み出して、この領域に対して露出調節を行うように、撮影光学系２０内の絞り機構部を制御する（露出調節手段）。また、♯５３では、同領域にピントを合わせるように、撮影光学系２０内のオートフォーカス機構部を制御する（焦点調節手段）。
その後、映像を静止画として撮影して、メモリ部３５に記録する（♯５４→♯５５、静止画記録手段）。
【００２０】
以上の説明から分かるように、♯２７→♯５１→♯５５の処理により、動画撮影モード中であっても、表示画面１３の映像を見ながら、ユーザが特定の被写体をタッチパネル１３ａ上でタッチするだけで、その被写体に対して、露出調節およびピント調節を行った上で、静止画を取り込むことができる。
【００２１】
♯２９→♯３０と進み、タッチパネル１３ａが押圧された場合にも、♯５１→♯５５の場合と同様に、ブロック特定手段（♯３１）、露出調節手段（♯３２）、焦点調節手段（♯３３）、静止画記録手段（♯３４→♯３５）による処理を行う。
ただし、ここでは、動画撮影が開始された後で静止画の取り込みを行っているので、静止画の撮影・記録中においても、これと並行して動画撮影は継続されており（♯３６）、レリーズボタン１２が再度押圧されることで、動画撮影が終了する（♯３８）。最後に、ユーザがメインスイッチ１１を押圧することが当該フローは終了する（♯３９）。
【００２２】
なお、図５のフローチャートに示した例では、タッチパネル１３ａ上のユーザがタッチした位置に対して露出調節および焦点調節を行っていたが、ユーザのタッチ位置とは無関係に、並行して行っている動画撮影における露出調節および焦点調節をそのまま採用して、静止画の取り込みを行ってもよい。そのように構成すれば、ユーザは、動画撮影モードにおいて、表示画面１３内の適当な任意の位置をタッチするだけで、きわめて手軽に静止画を記録することができる。
その場合には、図５のフローチャートにおいて、ブロック特定手段（♯３１、♯５１）、露出調整手段（♯３２、♯５２）、焦点調節手段（♯３３、♯５３）が省略される。すなわち、モード判定手段（♯２３）および静止画記録手段（♯３５、♯５５）が存在すれば、「動画撮影モードにおいて、迅速かつ容易に静止画を記録する」という目的は達成される。
また、タッチパネル１３ａは、必ずしも図４（ａ）のようにブロック分けされている必要はなく、例えば、図６に示したように、表示画面１３中の適当な位置に静止画ボタン１４ａを表示して、これに対応するタッチパネル１３ａ上のブロックをタッチしたときに静止画を取り込むようにしてもよい。勿論、図４（ａ）のようにタッチパネル１３ａをブロック分けしておいて、タッチ位置と無関係に静止画を取り込むようにしてもよい。
【００２３】
≪操作例２≫
この例では、表示画面１３上で、静止画として記録したい被写体周辺をユーザが指でなぞると、その周辺部分に露出およびピントを合わせた静止画を記録する（図７、図８）。
【００２４】
図７（ａ）において、ユーザが表示画面１３の表面を図中に矢印で示したように指でなぞったとする。これにより、タッチパネル１３ａ内の座標（ｘ、ｙ）＝（５、３）（６、３）（７、３）（５、４）（７、４）（５、５）（７、５）に対応する７つのブロックがオンとなる。
【００２５】
この例では、ユーザが意図した閉領域を特定するために、『ｙ座標が同一である複数のブロックがオンされた場合に、当該複数のブロックの中からｘ座標が最小のブロックと最大のブロックとを抽出し、これら２つのブロック間にあるすべてのブロックがオンされたとみなす』。
これにより、図７（ａ）中に太線で囲った９個のブロックを閉領域として特定することができる。また、メモリ部３５に記憶した対応関係に基づいて、この閉領域に対応するＣＣＤ２１の受光面上の画素領域を特定することができる。特定された画素領域の画像データを用いて主被写体が検出される。
【００２６】
主被写体の検出方法は、公知の方法で行うので詳しくは説明しないが、例えば、エッジを検出することで人物を検出し、これを主被写体とする方法や、ビデオＡＦを実行して、より近い位置でピントが合う被写体を主被写体とする方法等が考えられる。
【００２７】
なお、ユーザが指でなぞった領域が完全な閉領域である場合には、『当該閉領域内にあるすべてのブロックもオンであるとみなす』ことで、１つの閉領域を特定することができる。
【００２８】
領域が特定された後で、画面右下の静止画取込ボタン１４ａを押すと、当該領域内の主被写体に対して、露出調節およびピント調節を行った上で、静止画を記録することができる。
【００２９】
この場合の処理手順を図８のフローチャートを参照して説明する。
【００３０】
「♯７０→♯８１」の処理は、図５における「♯２７→♯５５」および「♯３０→♯３５」に代わるものである。すなわち、♯２６→♯７０と進み、♯８１→♯３９と進む。あるいは、♯２９→♯７０と進み、♯８１→♯３７と進む。なお、後者の場合、♯８０→♯８１の処理と並行して、♯３６での動画撮影が継続される。
【００３１】
♯７０では、カウンタｎの初期値を１にセットする。♯７１でタッチパネル１３ａのいずれかのブロックが押圧されると、タッチパネル１３ａからの出力に基づいて、押圧されたブロックを検出するとともに、カウンタ値を１つ進める（♯７２→♯７３）。
♯７４では、表示画面右下の静止画取込ボタン１４ａがオンされたか否かを判定する。ボタン１４ａがオンされるまでは♯７１→♯７２→♯７３を繰り返し、ボタン１４ａがオンされると、♯７４→♯７５と進む（これらのループ処理が「複数ブロック特定手段」を構成する）。
【００３２】
♯７５では、上記複数ブロック特定手段で特定された１〜ｎのブロックに囲まれた領域に対応するＣＣＤ２１の画素領域を特定する。具体的には、既に説明したように、閉領域を構成するタッチパネル１３ａ上の複数ブロックを特定した後、メモリ部３５に記憶した対応関係に基づいて、対応するＣＣＤ２１上の画素領域を特定する（領域特定手段）。
【００３３】
続いて、領域特定手段で特定された画素領域の画像データを読み出して、当該領域内の主被写体を検出する（♯７６→♯７７）。♯７８では、検出された主被写体に対してピントを合わせるように、撮影光学系２０内のオートフォーカス機構部を制御する（焦点調節手段）。また、♯７９では、同主被写体に対して露出調節を行うように、撮影光学系２０内の絞り機構部を制御する（露出調節手段）。
その後、映像を静止画として撮影して、メモリ部３５に記録する（♯８０→♯８１、静止画記録手段）。
【００３４】
≪操作例３≫
この例では、表示画面１３上で、静止画として記録したい複数の被写体を、ユーザが連続かつ個別的にタッチすると、各被写体を最大限考慮した１カットの静止画を記録する（図９）。
例えば、図４（ａ）の表示画面において、３人の走者に対応させて、Ａ、Ｂ、Ｃの３つのブロックをタッチしたとする。このとき、ブロックＡ、Ｂ、Ｃに対する各測距値および各測光値に対して、平均測距値および平均測光値を算出し、当該平均値に基づいて１カットの静止画を記録する。その場合、ＣＣＤによる映像ＡＦ（山登りＡＦ）で焦点調節をすることも可能であるが、撮影領域内の２次元領域のより迅速な測距を行うためには、撮像装置に別設された外光式パッシブ・エリア測距装置（例えば、特開２００３−２１４８４７号公報に記載の測距装置）を利用するのが好ましい。
【００３５】
この場合の処理手順を図９のフローチャートを参照して説明する。
【００３６】
「♯１００→♯１０８」の処理は、図５における「♯２７→♯５５」および「♯３０→♯３５」に代わるものである。すなわち、♯２６→♯１００と進み、♯１０８→♯３９と進む。あるいは、♯２９→♯１００と進み、♯１０８→♯３７と進む。なお、後者の場合、♯１０７→♯１０８の処理と並行して、♯３６での動画撮影が継続される。
【００３７】
♯１００では、カウンタｎの初期値を１にセットする。♯１０１でタッチパネル１３ａのいずれかのブロックが押圧される（♯１０１）と、タッチパネル１３ａからの出力に基づいて、ｎ＝１に対応するタッチパネル１３ａのブロックを検出する（♯１０２）とともに、カウンタ値を１つ進める（♯１０３）。
♯１０４では、表示画面右下の静止画取込ボタン１４ａがオンされたか否かを判定する。なお、この操作例においては、図４（ａ）の表示画面の右下に、図７（ａ）に示したのと同様の静止画取込ボタン１４ａを設けておく。
ボタン１４ａがオンされるまでは♯１０１→♯１０２→♯１０３を繰り返し、ボタン１４ａがオンされると、♯１０４→♯１０５と進む（これらのループ処理が「複数ブロック特定手段」を構成する）。
【００３８】
ボタン１４ａがオンされると、♯１０５では、ブロック（１）〜ブロック（ｎ）の測距値に対する平均距離値を求め、当該距離にピントを合わせるように、撮影光学系２０内のオートフォーカス機構部を制御する（焦点調節手段）。また、♯１０６では、ブロック（１）〜ブロック（ｎ）の測光値に対する平均測光値を計算して、当該平均値に応じて露出を行うように、撮影光学系２０内の絞り機構部を制御する（露出制御手段）。
このようにして、ブロック（１）〜ブロック（ｎ）に存在する各主被写体を考慮した１カットの静止画を撮影して、メモリ部３５にデータを記録する（♯１０７→♯１０８、静止画記録手段）。
【００３９】
≪操作例４≫
この例では、表示画面１３上で、静止画として記録したい複数の被写体を、ユーザが連続かつ個別的にタッチすると、各被写体毎に個別に１カットづつ連写して、各静止画を記録する（図１０）。
例えば、図４（ａ）の表示画面において、３人の走者に対応させて、Ａ、Ｂ、Ｃの３つのブロックをタッチしたとする。このとき、ブロックＡ、Ｂ、Ｃに対して、個別的に測距および測光を行い、それぞれ１カットづつ（合計３カット）の静止画を記録する。
【００４０】
この場合の処理手順を図１０のフローチャートを参照して説明する。
【００４１】
「♯２００→♯２１２」の処理は、図５における「♯２７→♯５５」および「♯３０→♯３５」に代わるものである。すなわち、♯２６→♯２００と進み、♯２１２→♯３９と進む。あるいは、♯２９→♯２００と進み、♯２１２→♯３７と進む。なお、後者の場合、♯２０８→♯２１２の処理と並行して、♯３６での動画撮影が継続される。
【００４２】
♯２００では、カウンタｎの初期値を１にセットする。♯２０１でタッチパネル１３ａのいずれかのブロックが押圧されると、タッチパネル１３ａからの出力に基づいて、ｎ＝１に対応するタッチパネル１３ａのブロックを検出する（♯２０２）とともに、カウンタ値を１つ進める（♯２０３）。
♯２０４では、表示画面右下の静止画取込ボタン１４ａがオンされたか否かを判定する。なお、この操作例においては、図４（ａ）の表示画面の右下に、図７（ａ）に示したのと同様の静止画取込ボタン１４ａを設けておく。
ボタン１４ａがオンされるまでは♯２０１→♯２０２→♯２０３を繰り返し、ボタン１４ａがオンされると、♯２０４→♯２０５と進む（これらのループ処理が「複数ブロック特定手段」を構成する）。
【００４３】
すなわち、♯２０５へと進んだ時点で、それ以前にタッチパネル１３ａ上でタッチされた回数（ｎ）および各ブロック位置が、互いに関連付けて記憶された状態となっている。
【００４４】
静止画取込ボタン１４ａがオンされると、カウンタｍの初期値を１にセットする（♯２０５）。この後、まず最初にブロック（１）に対して、メモリ部３５に記憶した対応関係に基づいて、対応するＣＣＤ画素領域における出力信号を読み出し、この領域にピントを合わせるように、撮影光学系２０内のオートフォーカス機構部を制御する（♯２０６、１回目焦点調節手段）。次に同領域に対して露出調節を行うように、撮影光学系２０内の絞り機構部を制御する（♯２０７、１回目露出調節手段）。
その後、映像を静止画として撮影して、メモリ部３５に記録する（♯２０８→♯２０９、静止画記録手段）。そして、カウンタｍの値を１つ進めた後、ｎとｍの大小を判定する（♯２１０→♯２１１）。
【００４５】
ｍ＝ｎとなるまで、♯２０６→♯２１０を繰り返す。♯２１１でｍ＝ｎであると判断されると（すなわち、押圧されたすべてのタッチパネルブロックに対して、静止画の取込みが完了したと判断されると）、♯２１１→♯２１２に進む。
【００４６】
例えば、３箇所のブロックがタッチされた場合（ｎ＝３）、ループ処理において２回目の♯２０６および♯２０７は、それぞれ、「２回目焦点調節手段」および「２回目露出調節手段」を構成し、３回目の♯２０６および♯２０７は、それぞれ、「３回目焦点調節手段」および「３回目露出調節手段」を構成する。ｎ＝２またはｎが４より大きい場合も同様である。なお、当然ながら、タッチパネル１３ａが１回しかタッチされていない場合は、２回目以後の処理は行われない。
【００４７】
♯２１２では、撮影および記録が完了したｎカットの静止画をアフタービューとして表示画面１３に表示する。この表示は、サムネイル形式で一覧表示してもよいし、１枚ずつタイミングをずらして順次表示してもよい。
【図面の簡単な説明】
【００４８】
【図１】本発明の一実施形態に係るデジタルカメラの前方斜視図。
【図２】図１のデジタルカメラの後方斜視図。
【図３】図１のデジタルカメラの主要機構を示すブロック図。
【図４】図１のデジタルカメラにおいて、タッチパネルのブロックとＣＣＤの画素領域との対応関係を説明する模式図。
【図５】本発明におけるカメラ制御処理の第１例を説明するフローチャート。
【図６】本発明における表示画面の他の例を示す模式図。
【図７】本発明におけるタッチパネルのブロックとＣＣＤの画素領域との他の対応関係を説明する模式図。
【図８】本発明におけるカメラ制御処理の第２例を説明するフローチャート。
【図９】本発明におけるカメラ制御処理の第３例を説明するフローチャート。
【図１０】本発明におけるカメラ制御処理の第４例を説明するフローチャート。
【符号の説明】
【００４９】
１０  デジタルカメラ
１１  メインスイッチ
１２  レリーズボタン
１３  表示画面
１３ａ  タッチパネル
１４  撮影窓
１４ａ  静止画取込ボタン
１５  十字キー
１６  設定ボタン
１７  フラッシュ発光部
２０  撮影光学系
２１  ＣＣＤ
２５  メモリカード
２７  ズームモータ制御部
２８  シャッタ絞り制御部
２９  焦点調節制御部
３５  メモリ部
【図１】
2005198068.tif 000003
【図２】
2005198068.tif 000004
【図３】
2005198068.tif 000005
【図４】
2005198068.tif 000006
【図５】
2005198068.tif 000007
【図６】
2005198068.tif 000008
【図７】
2005198068.tif 000009
【図８】
2005198068.tif 000010
【図９】
2005198068.tif 000011
【図１０】
2005198068.tif 000012